(57)【要約】      （修正有）【課題】複数の遊技場における会員遊技関連情報を確認する場合における不便性を解消すること。【解決手段】会員遊技関連情報記憶手段１２５と、会員遊技関連情報送信手段１２２，１２９とを備える遊技場内管理装置１２０と、会員識別情報と会員遊技関連情報とを対応付けて記憶するための遊技場別会員遊技関連情報記憶手段１４５と、会員属性情報記憶手段１４５と、会員遊技者の会員識別情報を受付ける会員識別情報受付け手段１４と、受付けた会員識別情報が対応する遊技場以外の当該会員遊技者が会員となっている遊技場を全て特定する他遊技場会員識別情報特定手段１４２と、該特定された遊技場の会員遊技関連情報並びに前記受付けた会員識別情報が対応する遊技場の会員遊技関連情報を抽出する抽出手段１４２と、該抽出された会員遊技関連情報を配信する会員遊技関連情報配信手段１４、１４２とを備える遊技場外管理装置１４０、１４と、から成る。【選択図】図９
2005168628.tif 000002
【特許請求の範囲】
【請求項１】
遊技場内に設置され、当該遊技場において会員登録した会員遊技者の該遊技場での遊技に関連して発生した会員遊技関連情報を、各会員遊技者を個々に識別可能な会員識別情報に対応付けて記憶するための会員遊技関連情報記憶手段と、該会員遊技関連情報記憶手段に記憶されている会員遊技関連情報を、当該会員遊技関連情報が対応付けられている会員識別情報並びに当該遊技場を個々に識別可能な遊技場識別情報とともに送信する会員遊技関連情報送信手段と、を備える遊技場内管理装置と、
複数の各遊技場に設置された遊技場内管理装置とデータ通信可能に接続され、
前記会員遊技関連情報送信手段から送信される遊技場識別情報と会員識別情報と会員遊技関連情報とを対応付けて記憶するための遊技場別会員遊技関連情報記憶手段と、
各会員遊技者の会員属性情報を、当該会員遊技者の前記会員識別情報並びに当該会員識別情報が対応する遊技場の遊技場識別情報とに対応付けて各遊技場毎に記憶する会員属性情報記憶手段と、
会員遊技者が操作可能な情報端末から当該会員遊技者が会員となっているいずれか１つの会員識別情報を少なくとも受付ける会員識別情報受付け手段と、
前記会員識別情報受付け手段にて受付けた会員識別情報に対応付けて前記会員属性情報記憶手段に記憶されている会員属性情報と同一の会員属性情報に対応付けて該会員属性情報記憶手段に記憶されている会員識別情報と遊技場識別情報とから、前記会員識別情報受付け手段にて受付けた会員識別情報が対応する遊技場以外の遊技場における当該会員遊技者の会員識別情報とその遊技場の遊技場識別情報とを特定する他遊技場会員識別情報特定手段と、
前記会員識別情報受付け手段にて受付けた会員識別情報に対応付けて前記遊技場別会員遊技関連情報記憶手段に記憶されている会員遊技関連情報、並びに前記他遊技場会員識別情報特定手段にて特定された遊技場識別情報並びに会員識別情報に対応付けて前記遊技場別会員遊技関連情報記憶手段に記憶されている会員遊技関連情報を抽出する抽出手段と、
該抽出手段にて抽出された会員遊技関連情報を前記情報端末或いは会員遊技者が指定した配信先に配信する会員遊技関連情報配信手段と、
を備える遊技場外管理装置と、
から成ることを特徴とする遊技用システム。
【請求項２】
前記遊技場外管理装置は、前記会員属性情報記憶手段に同一の会員属性情報に対応付けて記憶されている遊技場識別情報を抽出する遊技場抽出手段を備え、
前記会員属性情報記憶手段は、該遊技場抽出手段にて抽出された遊技場識別情報と会員属性情報とを対応付けて記憶するための遊技場識別情報記憶手段を含み、
前記他遊技場会員識別情報特定手段は、前記会員識別情報受付け手段にて受付けた遊技場識別情報と会員識別情報とに対応付けて前記会員属性情報記憶手段に記憶されている会員属性情報を特定し、該特定した会員属性情報に対応付けて前記遊技場識別情報記憶手段に記憶されている遊技場識別情報と、当該遊技場識別情報と前記特定した会員属性情報とに対応付けて前記会員属性情報記憶手段に記憶されている会員識別情報とから、前記会員識別情報受付け手段にて受付けた会員識別情報が対応する遊技場以外の遊技場における当該会員遊技者の会員識別情報とその遊技場の遊技場識別情報とを特定することを特徴とする請求項１に記載の遊技用システム。
【請求項３】
前記遊技場内管理装置は、各会員遊技者の会員属性情報を入力するための会員属性情報入力手段と、該会員属性情報入力手段から入力された会員属性情報を、当該会員遊技者の会員識別情報並びに当該遊技場の遊技場識別情報とともに前記遊技場外管理装置に送信する会員属性情報送信手段とを備え、
前記遊技場外管理装置は、該会員属性情報送信手段から送信される遊技場識別情報から前記会員属性情報記憶手段における記憶対象とする遊技場を特定し、該特定した遊技場の記憶情報として該遊技場識別情報とともに前記会員属性情報送信手段から送信された会員識別情報と会員属性情報とを対応付けて該会員属性情報記憶手段に記憶することを特徴とする請求項１または２に記載の遊技用システム。
【請求項４】
前記遊技場外管理装置は、前記遊技場識別情報記憶手段に前記会員属性情報送信手段から送信される会員属性情報と同一の会員属性情報が記憶されているときには、当該会員属性情報に対応付けて該会員属性情報とともに前記会員属性情報送信手段から送信された遊技場識別情報を該遊技場識別情報記憶手段に記憶することを特徴とする請求項３に記載の遊技用システム。
【請求項５】
遊技場内に設置され、当該遊技場において会員登録した会員遊技者の該遊技場での遊技に関連して発生した会員遊技関連情報を、各会員遊技者を個々に識別可能な会員識別情報に対応付けて記憶するための会員遊技関連情報記憶手段と、該会員遊技関連情報記憶手段に記憶されている会員遊技関連情報を、当該会員遊技関連情報が対応付けられている会員識別情報並びに当該遊技場を個々に識別可能な遊技場識別情報とともに送信する会員遊技関連情報送信手段と、を備える遊技場内管理装置と、
複数の各遊技場に設置された遊技場内管理装置とデータ通信可能に接続され、
前記会員遊技関連情報送信手段から送信される遊技場識別情報と会員識別情報と会員遊技関連情報とを対応付けて記憶するための遊技場別会員遊技関連情報記憶手段と、
各会員遊技者の会員属性情報に対応付けて、当該会員遊技者に対して個々の遊技場において付与された前記会員識別情報と当該会員識別情報が対応する遊技場の遊技場識別情報とを記憶するための会員識別情報記憶手段と、
会員遊技者が操作可能な情報端末から当該会員遊技者が会員となっているいずれか１つの会員識別情報を少なくとも受付ける会員識別情報受付け手段と、
前記会員識別情報受付け手段にて受付けた会員識別情報に対応付けて前記会員識別情報記憶手段に記憶されている当該会員識別情報が対応する遊技場識別情報から、前記会員識別情報受付け手段にて受付けた会員識別情報が対応する遊技場以外の遊技場における当該会員遊技者の会員識別情報とその遊技場の遊技場識別情報とを特定する他遊技場会員識別情報特定手段と、
前記会員識別情報受付け手段にて受付けた会員識別情報に対応付けて前記遊技場別会員遊技関連情報記憶手段に記憶されている会員遊技関連情報、並びに前記他遊技場会員識別情報特定手段にて特定された遊技場識別情報並びに会員識別情報に対応付けて前記遊技場別会員遊技関連情報記憶手段に記憶されている会員遊技関連情報を抽出する抽出手段と、
該抽出手段にて抽出された会員遊技関連情報を前記情報端末或いは会員遊技者が指定した配信先に配信する会員遊技関連情報配信手段と、
を備える遊技場外管理装置と、
から成ることを特徴とする遊技用システム。
【請求項６】
前記遊技場内管理装置は、各会員遊技者の会員属性情報を入力するための会員属性情報入力手段と、該会員属性情報入力手段から入力された会員属性情報を、当該会員遊技者の会員識別情報並びに当該遊技場の遊技場識別情報とともに前記遊技場外管理装置に送信する会員属性情報送信手段とを備え、
前記遊技場外管理装置は、前記会員識別情報記憶手段に該会員属性情報送信手段から送信される会員属性情報と同一の会員属性情報が記憶されているときには、当該会員属性情報に対応付けて該会員属性情報とともに前記会員属性情報送信手段から送信された遊技場識別情報と会員識別情報とを該会員識別情報記憶手段に記憶することを特徴とする請求項５に記載の遊技用システム。
【請求項７】
前記会員遊技関連情報は、会員遊技者の各遊技場における収支情報を含むことを特徴とする請求項１〜６のいずれかに記載の遊技用システム。
【請求項８】
前記会員遊技関連情報は、会員遊技者の各遊技場おける遊技にて獲得した獲得価値のうち遊技に再使用可能とされた貯蓄価値の大きさの貯蓄価値情報を含むことを特徴とする請求項１〜７のいずれかに記載の遊技用システム。
【発明の詳細な説明】
【技術分野】
【０００１】
本発明は、遊技場において会員登録した会員遊技者が、該遊技場での自分の遊技に関連して発生した会員遊技関連情報を、自分が操作可能な情報端末等において確認することのできる遊技用システムに関する。
【背景技術】
【０００２】
従来、これら会員遊技者が自分の遊技に関する情報を確認できるシステムとしては、会員遊技者が、自分が所有するパソコン等の端末装置から遊技場が運営するサイトにアクセスして、その遊技場の会員番号と暗証番号を入力することで、会員遊技者が、自分が会員となっている遊技場において遊技を実施することにより発生した会員遊技関連情報、例えば、遊技により獲得して再度遊技に使用可能に貯蓄した貯玉数等を確認できるシステムがある。（例えば、特許文献１参照）。
【０００３】
【特許文献１】特開平１０−１５１２６６号公報（第３頁、第４図）
【発明の開示】
【発明が解決しようとする課題】
【０００４】
しかしながら、前記した特許文献１のシステムにあっては、会員遊技者が、自分が会員となっている遊技場の会員番号と暗証番号を入力することで、その遊技場における貯玉数等は確認できるものの、当該会員遊技者が、その他の遊技場においても会員となっている場合において、他の遊技場における貯玉数等の会員遊技関連情報を確認する場合には、新たに確認しようとする遊技場における会員番号と暗証番号を再度入力する必要があり、不便であるという問題が有った。
【０００５】
本発明は、このような問題点に着目してなされたもので、複数の遊技場における会員遊技関連情報を確認する場合における不便性を解消することのできる遊技用システムを提供することを目的とする。
【課題を解決するための手段】
【０００６】
上記課題を解決するために、本発明の請求項１に記載の遊技用システムは、
遊技場内に設置され、当該遊技場において会員登録した会員遊技者の該遊技場での遊技に関連して発生した会員遊技関連情報を、各会員遊技者を個々に識別可能な会員識別情報に対応付けて記憶するための会員遊技関連情報記憶手段と、該会員遊技関連情報記憶手段に記憶されている会員遊技関連情報を、当該会員遊技関連情報が対応付けられている会員識別情報並びに当該遊技場を個々に識別可能な遊技場識別情報とともに送信する会員遊技関連情報送信手段と、を備える遊技場内管理装置と、
複数の各遊技場に設置された遊技場内管理装置とデータ通信可能に接続され、
前記会員遊技関連情報送信手段から送信される遊技場識別情報と会員識別情報と会員遊技関連情報とを対応付けて記憶するための遊技場別会員遊技関連情報記憶手段と、
各会員遊技者の会員属性情報を、当該会員遊技者の前記会員識別情報並びに当該会員識別情報が対応する遊技場の遊技場識別情報とに対応付けて各遊技場毎に記憶する会員属性情報記憶手段と、
会員遊技者が操作可能な情報端末から当該会員遊技者が会員となっているいずれか１つの会員識別情報を少なくとも受付ける会員識別情報受付け手段と、
前記会員識別情報受付け手段にて受付けた会員識別情報に対応付けて前記会員属性情報記憶手段に記憶されている会員属性情報と同一の会員属性情報に対応付けて該会員属性情報記憶手段に記憶されている会員識別情報と遊技場識別情報とから、前記会員識別情報受付け手段にて受付けた会員識別情報が対応する遊技場以外の遊技場における当該会員遊技者の会員識別情報とその遊技場の遊技場識別情報とを特定する他遊技場会員識別情報特定手段と、
前記会員識別情報受付け手段にて受付けた会員識別情報に対応付けて前記遊技場別会員遊技関連情報記憶手段に記憶されている会員遊技関連情報、並びに前記他遊技場会員識別情報特定手段にて特定された遊技場識別情報並びに会員識別情報に対応付けて前記遊技場別会員遊技関連情報記憶手段に記憶されている会員遊技関連情報を抽出する抽出手段と、
該抽出手段にて抽出された会員遊技関連情報を前記情報端末或いは会員遊技者が指定した配信先に配信する会員遊技関連情報配信手段と、
を備える遊技場外管理装置と、
から成ることを特徴としている。
この特徴によれば、会員遊技者は、自身が会員となっている遊技場のいずれか１つの遊技場における会員識別情報を入力することで、当該会員遊技者が会員となっているその他の遊技場の遊技場識別情報と会員識別情報とが他遊技場会員識別情報特定手段にて特定され、該特定された遊技場識別情報と会員識別情報に対応付けて前記遊技場別会員遊技関連情報記憶手段に記憶されている会員遊技関連情報が抽出され、会員遊技関連情報配信手段により配信されるようになるため、会員遊技者は、複数の遊技場における会員遊技関連情報を確認する場合に、当該確認したい遊技場における会員識別情報等を一々入力する必要がなく、これら複数の遊技場における会員遊技関連情報を確認する場合における会員遊技者の不便性を解消することができる。
【０００７】
本発明の請求項２に記載の遊技用システムは、請求項１に記載の遊技用システムであって、
前記遊技場外管理装置は、前記会員属性情報記憶手段に同一の会員属性情報に対応付けて記憶されている遊技場識別情報を抽出する遊技場抽出手段を備え、
前記会員属性情報記憶手段は、該遊技場抽出手段にて抽出された遊技場識別情報と会員属性情報とを対応付けて記憶するための遊技場識別情報記憶手段を含み、
前記他遊技場会員識別情報特定手段は、前記会員識別情報受付け手段にて受付けた遊技場識別情報と会員識別情報とに対応付けて前記会員属性情報記憶手段に記憶されている会員属性情報を特定し、該特定した会員属性情報に対応付けて前記遊技場識別情報記憶手段に記憶されている遊技場識別情報と、当該遊技場識別情報と前記特定した会員属性情報とに対応付けて前記会員属性情報記憶手段に記憶されている会員識別情報とから、前記会員識別情報受付け手段にて受付けた会員識別情報が対応する遊技場以外の遊技場における当該会員遊技者の会員識別情報とその遊技場の遊技場識別情報とを特定することを特徴としている。
この特徴によれば、予め前記会員属性情報記憶手段に同一の会員属性情報に対応付けて記憶されている遊技場識別情報が抽出されて、該抽出された遊技場識別情報と会員属性情報とが対応付けて前記遊技場識別情報記憶手段に記憶されることから、前記他遊技場会員識別情報特定手段が、当該会員遊技者が会員となっているその他の遊技場を特定するための処理時間や処理負荷を大幅に低減することができる。
【０００８】
本発明の請求項３に記載の遊技用システムは、請求項１または２に記載の遊技用システムであって、
前記遊技場内管理装置は、各会員遊技者の会員属性情報を入力するための会員属性情報入力手段と、該会員属性情報入力手段から入力された会員属性情報を、当該会員遊技者の会員識別情報並びに当該遊技場の遊技場識別情報とともに前記遊技場外管理装置に送信する会員属性情報送信手段とを備え、
前記遊技場外管理装置は、該会員属性情報送信手段から送信される遊技場識別情報から前記会員属性情報記憶手段における記憶対象とする遊技場を特定し、該特定した遊技場の記憶情報として該遊技場識別情報とともに前記会員属性情報送信手段から送信された会員識別情報と会員属性情報とを対応付けて該会員属性情報記憶手段に記憶することを特徴としている。
この特徴によれば、遊技場内管理装置にて入力された会員属性情報と会員識別情報と遊技場識別情報とが、前記遊技場外管理装置に送信されて前記会員属性情報記憶手段に記憶されるようになり、遊技場外管理装置において、これら会員属性情報と会員識別情報と遊技場識別情報とを入力する手間を省くことができる。
【０００９】
本発明の請求項４に記載の遊技用システムは、請求項３に記載の遊技用システムであって、
前記遊技場外管理装置は、前記遊技場識別情報記憶手段に前記会員属性情報送信手段から送信される会員属性情報と同一の会員属性情報が記憶されているときには、当該会員属性情報に対応付けて該会員属性情報とともに前記会員属性情報送信手段から送信された遊技場識別情報を該遊技場識別情報記憶手段に記憶することを特徴としている。
この特徴によれば、遊技場内管理装置にて入力された会員属性情報と会員識別情報と遊技場識別情報とが送信されてくることに基づいて、当該会員属性情報と同一の会員属性情報が記憶されているときに、該会員属性情報とともに前記会員属性情報送信手段から送信された遊技場識別情報が自動的に遊技場識別情報記憶手段に記憶されるようになるため、これら各遊技場において会員登録した会員遊技者の情報を、確実かつ迅速に遊技場識別情報記憶手段に反映させることができる。
【００１０】
本発明の請求項５に記載の遊技用システムは、
遊技場内に設置され、当該遊技場において会員登録した会員遊技者の該遊技場での遊技に関連して発生した会員遊技関連情報を、各会員遊技者を個々に識別可能な会員識別情報に対応付けて記憶するための会員遊技関連情報記憶手段と、該会員遊技関連情報記憶手段に記憶されている会員遊技関連情報を、当該会員遊技関連情報が対応付けられている会員識別情報並びに当該遊技場を個々に識別可能な遊技場識別情報とともに送信する会員遊技関連情報送信手段と、を備える遊技場内管理装置と、
複数の各遊技場に設置された遊技場内管理装置とデータ通信可能に接続され、
前記会員遊技関連情報送信手段から送信される遊技場識別情報と会員識別情報と会員遊技関連情報とを対応付けて記憶するための遊技場別会員遊技関連情報記憶手段と、
各会員遊技者の会員属性情報に対応付けて、当該会員遊技者に対して個々の遊技場において付与された前記会員識別情報と当該会員識別情報が対応する遊技場の遊技場識別情報とを記憶するための会員識別情報記憶手段と、
会員遊技者が操作可能な情報端末から当該会員遊技者が会員となっているいずれか１つの会員識別情報を少なくとも受付ける会員識別情報受付け手段と、
前記会員識別情報受付け手段にて受付けた会員識別情報に対応付けて前記会員識別情報記憶手段に記憶されている当該会員識別情報が対応する遊技場識別情報から、前記会員識別情報受付け手段にて受付けた会員識別情報が対応する遊技場以外の遊技場における当該会員遊技者の会員識別情報とその遊技場の遊技場識別情報とを特定する他遊技場会員識別情報特定手段と、
前記会員識別情報受付け手段にて受付けた会員識別情報に対応付けて前記遊技場別会員遊技関連情報記憶手段に記憶されている会員遊技関連情報、並びに前記他遊技場会員識別情報特定手段にて特定された遊技場識別情報並びに会員識別情報に対応付けて前記遊技場別会員遊技関連情報記憶手段に記憶されている会員遊技関連情報を抽出する抽出手段と、
該抽出手段にて抽出された会員遊技関連情報を前記情報端末或いは会員遊技者が指定した配信先に配信する会員遊技関連情報配信手段と、
を備える遊技場外管理装置と、
から成ることを特徴としている。
この特徴によれば、会員遊技者は、自身が会員となっている遊技場のいずれか１つの遊技場における会員識別情報を入力することで、当該会員遊技者が会員となっているその他の遊技場の遊技場識別情報と会員識別情報とが他遊技場会員識別情報特定手段にて特定され、該特定された遊技場識別情報と会員識別情報に対応付けて前記遊技場別会員遊技関連情報記憶手段に記憶されている会員遊技関連情報が抽出され、会員遊技関連情報配信手段により配信されるようになるため、会員遊技者は、複数の遊技場における会員遊技関連情報を確認する場合に、当該確認したい遊技場における会員識別情報等を一々入力する必要がなく、これら複数の遊技場における会員遊技関連情報を確認する場合における会員遊技者の不便性を解消することができるとともに、各会員遊技者の会員属性情報に対応付けて前記会員識別情報と当該会員識別情報が対応する遊技場の遊技場識別情報とが記憶される前記会員識別情報記憶手段を備えることで、前記他遊技場会員識別情報特定手段が、当該会員遊技者が会員となっているその他の遊技場並びに当該遊技場における当該会員遊技者の会員識別情報を特定するための処理時間や処理負荷を大幅に低減することができる。
【００１１】
本発明の請求項６に記載の遊技用システムは、請求項５に記載の遊技用システムであって、
前記遊技場内管理装置は、各会員遊技者の会員属性情報を入力するための会員属性情報入力手段と、該会員属性情報入力手段から入力された会員属性情報を、当該会員遊技者の会員識別情報並びに当該遊技場の遊技場識別情報とともに前記遊技場外管理装置に送信する会員属性情報送信手段とを備え、
前記遊技場外管理装置は、前記会員識別情報記憶手段に該会員属性情報送信手段から送信される会員属性情報と同一の会員属性情報が記憶されているときには、当該会員属性情報に対応付けて該会員属性情報とともに前記会員属性情報送信手段から送信された遊技場識別情報と会員識別情報とを該会員識別情報記憶手段に記憶することを特徴としている。
この特徴によれば、遊技場内管理装置にて入力された会員属性情報と会員識別情報と遊技場識別情報とが送信されてくることに基づいて、当該会員属性情報と同一の会員属性情報が記憶されているときに、該会員属性情報とともに前記会員属性情報送信手段から送信された遊技場識別情報と会員識別情報とが自動的に会員識別情報記憶手段に記憶されるようになるため、これら各遊技場において会員登録した会員遊技者の情報を、確実かつ迅速に会員識別情報記憶手段に反映させることができる。
【００１２】
本発明の請求項７に記載の遊技用システムは、請求項１〜６のいずれかに記載の遊技用システムであって、
前記会員遊技関連情報は、会員遊技者の各遊技場における収支情報を含むことを特徴としている。
この特徴によれば、会員遊技者は、会員となっている各遊技場での収支を容易に把握でき、遊技場別の勝率や今後の遊技戦略の検討に、当該情報を資することができる。
【００１３】
本発明の請求項８に記載の遊技用システムは、請求項１〜７のいずれかに記載の遊技用システムであって、
前記会員遊技関連情報は、会員遊技者の各遊技場おける遊技にて獲得した獲得価値のうち遊技に再使用可能とされた貯蓄価値の大きさの貯蓄価値情報を含むことを特徴としている。
この特徴によれば、会員遊技者は、会員となっている各遊技場での貯蓄価値の大きさを容易に把握できる。
【発明を実施するための最良の形態】
【００１４】
本発明の実施例を以下に説明する。
【実施例１】
【００１５】
本発明の請求項１に対応する本実施例１の遊技用システムは、図１に示すように、各遊技場に設置され、当該遊技場において会員登録した会員遊技者に関する情報（当該会員遊技者の遊技にて発生する会員遊技関連情報を含む）を収集、管理する遊技場内管理装置としての会員管理コンピュータ１２０と、これら各遊技場に設置された会員管理コンピュータ１２０に通信回線１１を通じて双方向にデータ通信可能に接続され、各遊技場の会員管理コンピュータ１２０から送信される会員登録情報や貯蓄玉数情報や遊技履歴データ等を含む会員遊技関連情報の受信に基づいて、各遊技場別に会員遊技者の属性情報や遊技履歴等の会員遊技者に関する情報を集中管理する、カード管理会社に設置された遊技場外管理装置を成す管理サーバ１４０と、から主に構成されている。
【００１６】
各遊技場に設置されている会員管理コンピュータ１２０には、図１に示すように、遊技場において複数配置された遊技島に並設される遊技機としてのパチンコ機２に対して１対１に設置されるカードユニット３や、会員遊技者が遊技にて獲得したパチンコ玉を計数して再度遊技に使用可能とするための玉計数器４０と、当該カードユニット３にて使用される会員用記録媒体である会員カード、並びにプリペイドカードであるビジターカードに記録されている遊技用価値である度数の管理等を行うシステムコントローラ１００が、通信ケーブル８を介して接続されており、カードユニット３からは、当該カードユニット３に会員カードが挿入されたことを示す会員ＩＤを含むカード受付け通知や対応するパチンコ機２における遊技関連情報等の各種情報が送信され、玉計数器４０からは、会員カードから読み出された会員識別情報である会員ＩＤと計数したパチンコ玉数の情報が送信され、システムコントローラ１００からは、各会員カードへの使用度数等の情報が送信される。
【００１７】
また、各遊技場に設置されている該システムコントローラ１００も、ルータ５並びに通信回線１１を通じてカード管理会社に設置されている管理サーバ１４０に接続されており、該管理サーバ１４０において、各遊技場にて使用される会員カードやビジターカードに残存する度数等のカードに関する情報が管理されている。
【００１８】
また、カード管理会社には前記管理サーバ１４０とともに、該管理サーバ１４０に接続されたサイトサーバ１４が設置されていて、当該サイトサーバ１４はインターネット網に接続されていることで、該インターネット網への接続機能を有する会員遊技者が操作可能な情報端末であるノートパソコン１５や携帯電話１６からアクセス可能とされている。
【００１９】
カードユニット３は、対応するパチンコ機２と直接、及び中継端末４を介して接続されており、カードユニット３と対応するパチンコ機２との間で各種信号の送受が可能とされているとともに、対応するパチンコ機２や、該パチンコ機２に供給されるパチンコ玉数を計数する供給玉計数器（図示略）や、該パチンコ機２から排出されるパチンコ玉数を計数するアウト玉計数器（図示略）等から出力された各種遊技情報を示す信号が中継端末４を介して該カードユニット３に入力されるようになっており、これら入力された各信号に基づいて前記遊技関連情報が会員管理コンピュータ１２０に送信されることで、該会員管理コンピュータ１２０において、各パチンコ機２における遊技関連情報を把握できるとともに、対応するカードユニット３において会員カードの受付け中に生じた遊技関連情報を、当該会員遊技者の遊技にて発生した会員遊技関連情報である遊技履歴として管理するようになっている。
【００２０】
まず、本実施例に用いた遊技場内管理装置としての会員管理コンピュータ１２０について説明すると、本実施例の会員管理コンピュータ１２０は、図２に示すように、コンピュータ内部にてデータの送受を行うデータバス１２１に、該会員管理コンピュータ１２０が実施する各種処理等を行うＣＰＵ１２２、処理時の一時記憶領域等として使用されるＲＡＭ１２３、現在の時刻情報やカレンダ情報を出力するリアルタイムクロック（ＲＴＣ）１２４、磁気ディスクや光磁気ディスクから成る記憶装置１２５、キーボードやマウス等の前記会員属性情報入力手段となる入力装置１２６、各種情報を表示出力する表示装置１２７、各種情報をプリント出力するプリンタ１２８、カードユニット３や玉計数器４０やシステムコントローラ１００や管理サーバ１４０とのデータ通信を行う通信部１２９が接続された通常のコンピュータである。
【００２１】
また、記憶装置１２５には、会員管理コンピュータ１２０の処理を実施するための処理プログラムに加えて、各会員遊技者に関する会員関連情報が登録（記憶）される会員情報テーブル（図３（ａ）参照）や、各会員遊技者の遊技により発生した当該会員遊技者の会員遊技関連情報となる貯蓄玉数や収支等を含む遊技履歴が記憶される会員別遊技履歴テーブル（図３（ｂ）参照）等から成る会員管理データベース（ＤＢ）が記憶されている。
【００２２】
この本実施例の会員情報テーブルには、図３（ａ）に示すように、各会員遊技者を個々に識別可能とするために、各会員遊技者に当該遊技場にて固有に付与された会員識別情報である会員ＩＤに対応付けて、本人確認に使用される暗証番号、その時点の来店ポイント数と、来店回数と、会員の氏名（名字並びに名前）、性別、年齢、誕生日、職業、住所、電子メールアドレスからなる会員属性情報とが登録されている。
【００２３】
また、本実施例の会員別遊技履歴テーブルには、図３（ｂ）に示すように、各会員遊技者の会員ＩＤに対応付けて、前記玉計数器４０にて計数されて再度の遊技に使用可能とされた貯蓄玉数と、会員遊技者がカードユニット３に会員カードを挿入してから当該会員カードを取り出すまでに実施した遊技を１回の遊技として、最近１０回の遊技履歴が記憶されている。これら遊技履歴として具体的には、各会員ＩＤ毎に、来店日、遊技を実施したパチンコ機２の台番号、遊技の開始時間（会員カードの挿入時間）、遊技の終了時間（会員カードの返却時間）、開始時間と終了時間との差である遊技時間、始動回数、大当回数、確変回数、会員遊技者が遊技に消費した金額である売上金額、会員遊技者が遊技にて獲得することで遊技場が該会員遊技者に対して提供する景品と等価な金額である支出金額（最小数は１００円単位）、これら売上金額から支出金額を差し引いた収支金額、遊技場の勝敗とが記憶されている。
【００２４】
また、本実施例の会員管理コンピュータ１２０のＣＰＵ１２２は、カードユニット３における再プレイ操作に基づいて該カードユニット３から送信される貯玉使用要求の受信に基づいて、当該貯玉使用要求に含まれる暗証番号を当該貯玉使用要求に含まれる会員ＩＤに対応して前記会員情報テーブルに記憶されている暗証番号と照合し、当該照合が一致した場合において、前記会員別遊技履歴テーブルに当該会員ＩＤに対応付けて記憶されている貯蓄玉数の遊技への再使用を許諾する貯蓄玉数使用許諾処理を実施し、該貯蓄玉数の遊技への再使用に供された貯蓄玉数の大きさを該貯蓄玉数の大きさから減算更新する。
【００２５】
また、本実施例の会員管理コンピュータ１２０のＣＰＵ１２２は、前記玉計数器４０から送信される計数情報の受信に基づいて、当該受信した計数情報に含まれる会員ＩＤに対応して前記会員別遊技履歴テーブルに記憶されている貯蓄玉数の大きさに、当該受信した計数情報に含まれる計数玉数の大きさを加算更新する貯蓄玉数更新処理を実施するとともに、該貯蓄玉数更新処理による加算更新後の新たな貯蓄玉数の大きさと、会員ＩＤ並びに遊技場ＩＤとを含む貯玉情報を管理サーバ１４０に送信する貯玉情報送信処理を実施する。
【００２６】
また、本実施例の会員管理コンピュータ１２０のＣＰＵ１２２は、カードユニット３に新たに会員カードが受付けられたことに基づいて、当該カードユニット３から送信される会員カード受付け通知の受信に基づき、当該会員カード受付け通知に含まれる新たに受付けた会員カードから読み出した会員ＩＤに対応する前記会員別遊技履歴テーブルの今回のデータを前回のデータに、前回のデータを２回前のデータというように、それぞれの遊技履歴の回数の更新を実施するともに、今回の遊技履歴への記憶（更新）を開始して、当該会員遊技者の遊技において発生する会員遊技関連情報を記憶し、前記カードユニット３における返却操作に基づいて、カードユニット３から送信される返却通知に前記にて記憶を開始した会員ＩＤが含まれる場合において、今回の遊技履歴への記憶（更新）を終了し、当該遊技単位における勝敗を判定して記憶するとともに、該勝敗を記憶した遊技履歴データと、当該会員ＩＤに対応する貯蓄玉数の大きさと、会員情報テーブルに当該会員ＩＤに対応して記憶されている来店ポイントと来店回数と、会員ＩＤと遊技場ＩＤとを含む会員遊技関連情報を管理サーバ１４０に送信する会員遊技関連情報送信処理を実施する。尚、前記した今回の遊技履歴への記憶（更新）を開始に際しては、会員管理コンピュータ１２０からシステムコントローラ１００に対して当該更新する遊技履歴に対応する会員ＩＤを含む使用度数情報出力要求を送信することで、システムコントローラ１００から、当該送信した使用度数情報出力要求に含まれる会員ＩＤが記録された会員カードから度数の使用があった場合に、該使用度数の情報が送信されてくることで、遊技履歴の売上金額への加算更新が実施されるようになっている。
【００２７】
また、本実施例の会員管理コンピュータ１２０のＣＰＵ１２２は、新規の会員登録を実施するための所定操作がなされた場合において、図７に示す会員登録画面を表示装置１２７に表示して、新たに会員登録する会員遊技者に関する会員属性情報の入力を受付ける会員属性情報入力処理を実施し、当該新規会員遊技者に会員ＩＤを付与するとともに、当該付与した会員ＩＤに対応付けて、該会員登録画面にて受付けた会員属性情報を前記会員情報テーブルに記憶する会員属性情報記憶処理を実施した後、当該新たに会員情報テーブルに記憶した会員ＩＤと会員属性情報とを含む会員登録情報を管理サーバ１４０に送信する会員登録情報送信処理を実施する。
【００２８】
この本実施例に用いた会員登録画面には、図７に示すように、前記会員情報テーブルに記憶（登録）される各種会員属性情報である会員の氏名（名字並びに名前）、性別、年齢、誕生日、職業、住所、電子メールアドレス等を入力するための入力部が設けられており、該入力部に対応する属性情報をそれぞれ入力した後に、画面下方の「登録」の選択入力部を選択することで、前記会員属性情報記憶処理並びに前記会員登録情報送信処理が実施される。
【００２９】
次いで、本発明における遊技場外管理装置を構成する管理サーバ１４０並びにサイトサーバ１４の構成について説明すると、まず管理サーバ１４０は、図４に示すように、コンピュータ内部にてデータの送受を行うデータバス１４１に、該管理サーバ１４０が実施する各遊技場にて使用される会員カードやビジターカードに残存する度数や使用度数、発行度数や入金度数の管理を行うための処理や、後述する記憶装置１４５に記憶されている各テーブルを更新する処理等の各種処理を行うＣＰＵ１４２、処理時の一時記憶領域等として使用されるＲＡＭ１４３、キーボードやマウス等の入力装置１４４、磁気ディスクや光磁気ディスクから成る記憶装置１４５、各種情報を表示出力する表示装置１４６、通信回線１１を通じて各遊技場に設置されたシステムコントローラ１００とのデータ通信を行うためのデジタルサービスユニット（ＤＳＵ）１４８、サイトサーバ１４との双方向のデータ通信を行うための通信部１４９、が接続された処理能力に優れた通常のコンピュータである。
【００３０】
また、記憶装置１４５には、管理サーバ１４０が実施する各種処理内容が記述された処理プログラムに加えて、会員カードやビジターカードに残存する度数や入金額等のデータ等が記憶されるカード管理ＤＢや、図５（ａ）に示す本発明における会員属性情報記憶手段となる遊技場別会員情報データベースや、図５（ｂ）に示す本発明における遊技場別会員遊技関連情報記憶手段となる遊技場別会員遊技情報テーブルや、図６に示す遊技場情報テーブルが記憶されている。
【００３１】
この実施例の遊技場別会員情報データベースには、図５（ａ）に示すように、個々の遊技場毎に、各遊技場において会員登録した会員遊技者の会員ＩＤと、暗証番号と、来店ポイントと、来店回数と、会員の氏名（名字並びに名前）、性別、年齢、誕生日、職業、住所、電子メールアドレスから成る会員属性情報が記憶されており、これら遊技場別会員情報データベースの記憶データは、前記会員管理コンピュータ１２０から送信される会員登録情報や、会員遊技関連情報の受信に基づいて更新記憶される。
【００３２】
この本実施例の遊技場別会員遊技情報テーブルには、図５（ｂ）に示すように、各遊技場を個々に識別可能とするために各遊技場に固有に付与された遊技場ＩＤに対応付けて、各遊技場において会員登録した会員遊技者の会員ＩＤが記憶されているとともに、当該各会員ＩＤ毎に、当該会員遊技者の貯蓄玉数とともに、来店日、遊技を実施したパチンコ機２の台番号、遊技の開始時間（会員カードの挿入時間）、遊技の終了時間（会員カードの返却時間）、開始時間と終了時間との差である遊技時間、始動回数、大当回数、確変回数、会員遊技者が遊技に消費した金額である売上金額、会員遊技者が遊技にて獲得することで遊技場が該会員遊技者に対して提供する景品と等価な金額である支出金額（最小数は１００円単位）、これら売上金額から支出金額を差し引いた収支金額、遊技場の勝敗とから成る遊技履歴とが記憶されており、これらの記憶データは、当該遊技場ＩＤに対応する遊技場に設置されている前記会員管理コンピュータ１２０から送信される会員遊技関連情報に基づいて更新記憶される。
【００３３】
また、本実施例の遊技場情報テーブルには、図６に示すように、各遊技場の遊技場ＩＤに対応付けて、当該遊技場において会員遊技者に発行される会員カードに記録された会員ＩＤの範囲である対応会員ＩＤと、当該遊技場の遊技場名や、所在地、並びに前記ＤＳＵ１４８並びに通信回線１１を通じて各遊技場に設置されたシステムコントローラ１００や会員管理コンピュータ１２０との通信接続を実施するための接続用情報である回線番号が記憶されている。
【００３４】
この本実施例の管理サーバ１４０のＣＰＵ１４２は、会員管理コンピュータ１２０における前記会員登録情報送信処理にて送信される会員登録情報の受信に基づいて、前記遊技場別会員情報データベースにおいて当該受信した会員登録情報に含まれる遊技場ＩＤから特定される遊技場の記憶データに、当該受信した会員登録情報に含まれる会員ＩＤと会員属性情報とを記憶（登録）する会員関連情報記憶処理を実施する。（図８参照）
【００３５】
また、本実施例の管理サーバ１４０のＣＰＵ１４２は、会員管理コンピュータ１２０における前記貯玉情報送信処理にて送信される貯玉情報の受信に基づいて、当該貯玉情報に含まれる遊技場ＩＤ並びに会員ＩＤに対応付けて前記遊技場別会員遊技情報テーブルに記憶されている貯蓄玉数を更新する貯蓄玉数更新処理を実施する。（図８参照）
【００３６】
また、本実施例の管理サーバ１４０のＣＰＵ１４２は、会員管理コンピュータ１２０における前記会員遊技関連情報送信処理にて送信される会員遊技関連情報の受信に基づいて、当該受信した会員遊技関連情報に含まれる遊技履歴データ並びに貯蓄玉数の大きさとを、該受信した会員遊技関連情報に含まれる会員ＩＤと遊技場ＩＤに対応付けられている貯蓄玉数の大きさと遊技履歴として前記遊技場別会員遊技情報テーブルに更新記憶するとともに、当該受信した会員遊技関連情報に含まれる来店ポイントと来店回数とを、前記遊技場別会員情報データベースにおいて、該受信した会員遊技関連情報に含まれる遊技場ＩＤから特定される遊技場の記憶データの内、該受信した会員ＩＤに対応する来店ポイントと来店回数とに更新記憶する会員遊技関連情報更新処理を実施する。（図８参照）
【００３７】
また、本実施例の管理サーバ１４０のＣＰＵ１４２は、後述するログインページにおいて会員遊技者から受付けた会員ＩＤと暗証番号がサイトサーバ１４から送信されてきた際に、当該送信されてきた会員ＩＤに対応する遊技場並びに遊技場ＩＤを、前記遊技場情報テーブルから特定し、前記遊技場別会員情報データベースにおいて該特定した遊技場の記録データの内、当該送信されてきた会員ＩＤに対応付けて記憶されている暗証番号を特定し、送信されてきた暗証番号との照合を実施する照合処理を行う。
【００３８】
また、本実施例の管理サーバ１４０のＣＰＵ１４２は、該照合処理における照合結果が一致した場合において、当該会員ＩＤに対応して記憶されている来店ポイントと来店回数とを抽出するとともに、前記遊技場別会員遊技情報テーブルにおいて前記照合処理にて特定した遊技場ＩＤ並びに当該送信されてきた会員ＩＤに対応付けて記憶されている貯蓄玉数と遊技履歴データとを抽出する抽出処理を実施するとともに、該抽出処理にて抽出した各データをサイトサーバ１４を介して会員遊技者の情報端末であるノートパソコン１５や携帯電話１６に送信する会員遊技関連情報配信処理を実施する。（図９）
【００３９】
また、本実施例の管理サーバ１４０のＣＰＵ１４２は、会員遊技者が後述する確認ページ（図１１）において「他の遊技場」を選択入力することによりサイトサーバ１４から送信される他遊技場選択受付情報の受信に基づいて、前記遊技場別会員情報データベースにおいて、前記照合処理にて特定した遊技場の記録データの内、前記ログインページにて受付けることでサイトサーバ１４から送信されてきた会員ＩＤに対応付けて記憶されている会員属性情報である電子メールアドレスを特定し、当該特定した電子メールアドレスと同一の電子メールアドレスが記憶されている他の遊技場の会員ＩＤを全て特定して抽出する他遊技場会員識別情報特定処理を実施する。
【００４０】
また、本実施例の管理サーバ１４０のＣＰＵ１４２は、該他遊技場会員識別情報特定処理にて特定した当該会員遊技者の会員属性情報である電子メールアドレスと同一の電子メールアドレスが記憶されている全ての遊技場の情報（遊技場情報）をサイトサーバ１４に送信する遊技場情報送信処理を実施することで、該特定された各遊技場を選択可能とされた遊技場選択ページがサイトサーバ１４から会員遊技者の情報端末であるノートパソコン１５や携帯電話１６に配信される。
【００４１】
また、本実施例の管理サーバ１４０のＣＰＵ１４２は、前記遊技場別会員情報データベースに、前記遊技場選択ページにおいて会員遊技者により選択された遊技場の記憶データとして記憶されているデータの内、前記他遊技場会員識別情報特定処理にて抽出した当該会員遊技者の当該遊技場における会員ＩＤに対応して記憶されている来店ポイントと来店回数とを抽出するとともに、該遊技場選択ページにおいて会員遊技者により選択された遊技場の遊技場ＩＤと、当該会員遊技者の当該遊技場における会員ＩＤとに対応付けて前記遊技場別会員遊技情報テーブルに記憶されている貯蓄玉数と遊技履歴データとを抽出する抽出処理を実施するとともに、該抽出処理にて抽出した各データを、サイトサーバ１４を介して会員遊技者の情報端末であるノートパソコン１５や携帯電話１６に配信する会員遊技関連情報配信処理を実施する。（図９）
【００４２】
次いで、本発明における遊技場外管理装置を構成する管理サーバ１４０並びにサイトサーバ１４の構成について説明すると、まず管理サーバ１４０は、図４に示すように、コンピュータ内部にてデータの送受を行うデータバス１８１に、該サイトサーバ１４が実施するサイト用の各種データの送受を行う処理や、会員遊技者から会員ＩＤや暗証番号の受付けや他の遊技場の選択指定等の受付け処理等を行うＣＰＵ１８２、処理時の一時記憶領域等として使用されるＲＡＭ１８３、サイト用のＨＴＭＬデータや処理プログラム等が記憶されている磁気ディスクや光磁気ディスクから成る記憶装置１８４、前記管理サーバ１４０とのデータ通信を行う第１通信部１８８、インターネット網を介して会員遊技者の情報端末であるノートパソコン１５や携帯電話１６とのデータ通信を行う第２通信部１８９、が接続されたサーバ用のコンピュータである。
【００４３】
また、本実施例の管理サーバ１４のＣＰＵ１８２は、会員遊技者の情報端末であるノートパソコン１５や携帯電話１６からのアクセスに基づいて、ログインページを配信し、当該会員遊技者が会員となっているいずれか１つの会員識別情報である会員ＩＤと暗証番号とを受付け、当該受付けた会員ＩＤと暗証番号とを管理サーバ１４０に送信する会員識別情報受付け処理を実施する。
【００４４】
また、本実施例の管理サーバ１４のＣＰＵ１８２は、管理サーバ１４０からの遊技場情報の送信に基づいて、当該遊技場情報に含まれる各遊技場を選択指定能とされた遊技場選択ページを生成して、会員遊技者の情報端末であるノートパソコン１５や携帯電話１６に配信する遊技場選択ページ配信処理を実施する。
【００４５】
以下、本実施例の遊技場システムにおいて、会員遊技者が、自分が会員となっている各遊技場における貯蓄玉数や各遊技における収支等を把握する流れについて、図９並びに図１０から図１３に基づいて説明すると、まず、会員遊技者が、ノートパソコン１５或いは携帯電話１６からサイトサーバ１４のサイト（会員サービスサイト）にアクセスすると、サイトサーバ１４から図１０に示すログインページが配信される。
【００４６】
このログインページには、図１０に示すように、会員ＩＤを入力するための会員ＩＤ入力部と、暗証番号を入力するための暗証番号入力部とが設けられており、会員遊技者は、これら各入力部に自分が会員となっている遊技場の内、情報の確認を行いたい遊技場における会員ＩＤ並びに暗証番号を入力した後、当該ログインページの下方位置に設けられている「ログイン」の選択入力部を選択入力する。
【００４７】
この「ログイン」の選択入力部の選択入力に基づいて、サイトサーバ１４は、当該ログインページにて受付けた会員ＩＤと暗証番号とを管理サーバ１４０に送信することで、管理サーバ１４０において、前述のように、入力された会員ＩＤに対応する遊技場が特定されるとともに暗証番号に基づく前記照合処理が実施され、該照合処理における照合が一致した場合において、当該特定された遊技場における当該会員遊技者の貯蓄玉数や、来店ポイント、来店回数、並びに収支を含む遊技履歴が前述の抽出処理において抽出され、該抽出処理にて抽出した貯蓄玉数や、来店ポイント、来店回数、並びに収支を含む遊技履歴が管理サーバ１４０からサイトサーバ１４へ送信されることで、これら抽出された貯蓄玉数や、来店ポイント、来店回数、並びに収支を含む遊技履歴が表示された図１１に示す確認ページが会員遊技者のノートパソコン１５或いは携帯電話１６に配信されることで、会員遊技者は、前記ログインページにて入力した会員ＩＤに対応する遊技場における貯蓄玉数や各遊技での収支等の会員遊技関連情報を確認することができる。
【００４８】
そして、会員遊技者が、自分が会員となっているその他の遊技場における貯蓄玉数や各遊技での収支等の会員遊技関連情報を確認したい場合には、前記にて配信された図１１に示す確認ページの下方位置に設けられている「他の遊技場」の選択入力部を選択することで、前述のように、サイトサーバ１４から他の遊技場が選択された旨を示す他遊技場選択受付情報が管理サーバ１４０に送信されることで、管理サーバ１４０において前述の他遊技場会員識別情報特定処理が実施されることで、当該会員遊技者が会員となっているその他の遊技場が全て特定され、該特定された全ての遊技場の情報である遊技場情報が、管理サーバ１４０からサイトサーバ１４に送信されることで、サイトサーバ１４から当該遊技場情報に含まれる各遊技場を選択指定能とされた図１２に示す遊技場選択ページが、会員遊技者の情報端末であるノートパソコン１５や携帯電話１６に配信される。
【００４９】
この遊技場選択ページにおいて会員遊技者は、図１２に示すように、会員遊技関連情報を確認したい遊技場に対応するチェックボックス５０をチェックすることで選択した後、当該ページの下方位置に設けられている「表示」の選択入力部を選択することで、サイトサーバ１４から管理サーバ１４０に対して、該選択された遊技場を特定可能な情報（遊技場名であっても良いし、遊技場ＩＤでも良いし、表示順序の情報等でも良い）である選択遊技場情報が送信され、管理サーバ１４０において、前記遊技場別会員情報データベースに、当該選択遊技場情報により特定される遊技場の記憶データとして記憶されているデータの内、前記他遊技場会員識別情報特定処理にて抽出した当該会員遊技者の当該遊技場における会員ＩＤに対応して記憶されている来店ポイントと来店回数とを抽出するとともに、該選択遊技場情報により特定される遊技場の遊技場ＩＤと、当該会員遊技者の当該遊技場における会員ＩＤとに対応付けて前記遊技場別会員遊技情報テーブルに記憶されている貯蓄玉数と遊技履歴データとを抽出する抽出処理を実施するとともに、該抽出処理にて抽出した各データを、サイトサーバ１４に送信することで、これら抽出された貯蓄玉数や、来店ポイント、来店回数、並びに収支を含む遊技履歴が表示された図１３に示す確認ページが、当該遊技場の会員ＩＤや暗証番号等を会員遊技者が入力することなしに、会員遊技者のノートパソコン１５或いは携帯電話１６に配信されることで、会員遊技者は、前記遊技場選択ページにて選択した遊技場における貯蓄玉数や各遊技での収支等の会員遊技関連情報を簡便に確認することができる。
【００５０】
尚、この図１３に示す確認ページにも図１１に示す確認ページと同様に「他の遊技場」の選択入力部が設けられており、会員遊技者が更にその他の遊技場の会員遊技関連情報を確認したい場合には、再度「他の遊技場」を選択することで、前記遊技場選択ページが再度配信されることで、その他の遊技場を繰返し指定することができ、会員遊技者は、自分が会員となっている各遊技場における会員遊技関連情報を、当該遊技場の会員ＩＤや暗証番号等を会員遊技者が入力することなしに、順次確認することができる。
【実施例２】
【００５１】
次に、本発明の請求項２に対応する本実施例２の遊技用システムについて説明すると、その構成は前記実施例１の遊技用システムと同一とされているが、本実施例２の遊技用システムの特徴点は、前記実施例１の遊技用システムにおいては、ログインページにて受け付けた会員ＩＤの会員遊技者が、「他の遊技場」を選択入力した場合において、当該会員遊技者の会員属性情報である電子メールアドレスを特定し、該特定した電子メールアドレスと同一の電子メールアドレスが記憶されている遊技場並びに当該遊技場における会員ＩＤとを特定する他遊技場会員識別情報特定処理を実施するようにしているが、これら他遊技場会員識別情報特定処理において前述した同一の電子メールアドレスが記録されている遊技場等の特定に要する処理負荷が、遊技場の数や会員の数が多くなった場合において大きくなり、特定に要する時間が大きくなってしまう場合が考えられることから、本実施例２では、これらの同一の電子メールアドレスが記録されている遊技場等の特定に要する処理負荷を低減できるようにしている点が大きな特徴であり、その他の構成は、前記実施例１と同一であることから説明を省略し、これら同一の電子メールアドレスが記録されている遊技場並びに当該遊技場における会員ＩＤの特定に関する流れについて以下に説明する。
【００５２】
まず、本実施例２の管理サーバ１４０の記憶装置１４５には、前記実施例１において記憶されている遊技場別会員情報データベースと、遊技場別会員遊技情報テーブル、遊技場情報テーブルの他に、図１４に示す本発明の遊技場識別情報記憶手段である登録遊技場特定テーブルが記憶されている。
【００５３】
この本実施例２の登録遊技場特定テーブルには、各会員遊技者の会員属性情報である電子メールアドレスに対応付けて、当該会員遊技者が会員となっている遊技場の遊技場ＩＤが記憶（登録）されている。
【００５４】
この登録遊技場特定テーブルの記憶データは、図１５に示すように、会員管理コンピュータ１２０における前述の会員登録情報送信処理において送信される会員登録情報の受信に基づいて、管理サーバ１４０のＣＰＵ１４２が、前記遊技場別会員情報データベースの当該受信した会員登録情報に含まれる遊技場ＩＤから特定される遊技場の記憶データに、当該受信した会員登録情報に含まれる会員ＩＤと会員属性情報とを記憶（登録）する会員関連情報記憶処理を実施した後に、当該新たに記憶（登録）した電子メールアドレスと同一の電子メールアドレスが登録遊技場特定テーブルの電子メールアドレスとして既に記憶されているか否かを判定し、記憶されている場合には、当該電子メールアドレスに対応付けて、受信した会員登録情報に含まれる遊技場ＩＤを更新記憶することで、当該会員遊技者が新たに記憶された遊技場ＩＤから特定される遊技場の会員であることが容易に特定できるようになる。尚、遊技場別会員情報データベースに新たに記憶（登録）した電子メールアドレスと同一の電子メールアドレスが登録遊技場特定テーブルの電子メールアドレスとして既に記憶されていない場合には、当該電子メールアドレスを登録遊技場特定テーブルの電子メールアドレスとして記憶するとともに、該電子メールアドレスに対応付けて受信した会員登録情報に含まれる遊技場ＩＤを更新記憶する。
【００５５】
尚、本実施例においては、会員登録情報が各遊技場に設置された会員管理コンピュータ１２０から送信されることから、前述のように、当該会員登録情報を受信する毎に登録遊技場特定テーブルへの更新記憶を実施するようにしているが、本発明はこれに限定されるものではなく、これら遊技用システムの運用開始時期等において、前記遊技場別会員情報データベースへの多くの会員属性情報の登録を管理サーバ１４０側等で実施した場合においては、当該遊技場別会員情報データベースへの記憶（登録）を実施した後、前記会員属性情報記憶手段である該遊技場別会員情報データベースに同一の会員属性情報となる電子メールアドレスに対応付けて記憶されている遊技場ＩＤを全て抽出する遊技場抽出処理を実施し、当該抽出した遊技場ＩＤを当該遊技場ＩＤの抽出に用いた会員属性情報となる電子メールアドレスに対応付けて前記遊技場識別情報記憶手段となる登録遊技場特定テーブルに記憶するようにしても良いし、また、本実施例のように、会員登録情報の受信に基づいて個々に登録遊技場特定テーブルへの更新記憶を実施するのではなく、所定期間、例えば１日の所定時刻等において、前述の遊技場抽出処理を実施して登録遊技場特定テーブルを更新するようにしても良い。
【００５６】
この本実施例２の登録遊技場特定テーブルは、前述のように、会員遊技者が確認ページにおいて「他の遊技場」を選択した場合において、当該会員遊技者が会員となっている遊技場の特定において使用されるようになっており、その流れについて、図１６を用いて説明すると、本実施例の管理サーバ１４０のＣＰＵ１４２は、サイトサーバ１４から送信される他遊技場選択受付情報の受信に基づいて、前記遊技場別会員情報データベースにおいて、ログインページにて受付けた会員ＩＤから特定される遊技場の記録データの内、当該会員ＩＤに対応付けて記憶されている会員属性情報である電子メールアドレスを特定する。
【００５７】
そして、登録遊技場特定テーブルにおいて、該特定した電子メールアドレスに対応して記憶されている遊技場ＩＤを全て抽出し、該抽出した遊技場ＩＤから当該会員遊技者が会員となっている遊技場を全て特定するとともに、該特定した遊技場の情報（遊技場情報）を、前記実施例１の場合と同様にサイトサーバ１４に送信することで、当該特定された各遊技場を選択可能とされた遊技場選択ページがサイトサーバ１４から会員遊技者の情報端末であるノートパソコン１５や携帯電話１６に配信される。
【００５８】
この遊技場選択ページにおいて会員遊技者は、会員遊技関連情報を確認したい遊技場に対応するチェックボックスをチェックすることで選択した後、当該ページの下方位置に設けられている「表示」の選択入力部を選択することで、サイトサーバ１４から管理サーバ１４０に対して、該選択された遊技場を特定可能な情報（遊技場名であっても良いし、遊技場ＩＤでも良いし、表示順序の情報等でも良い）である選択遊技場情報が送信され、管理サーバ１４０において、前記遊技場別会員情報データベースに、当該選択遊技場情報により特定される遊技場の記憶データとして記憶されているデータの内、当該会員遊技者の電子メールアドレスに対応付けて記憶されている会員ＩＤと来店ポイントと来店回数とを抽出するとともに、該選択遊技場情報により特定される遊技場の遊技場ＩＤと、当該抽出した会員遊技者の当該遊技場における会員ＩＤとに対応付けて前記遊技場別会員遊技情報テーブルに記憶されている貯蓄玉数と遊技履歴データとを抽出する抽出処理を実施するとともに、該抽出処理にて抽出した各データを、サイトサーバ１４に送信することで、実施例１の場合と同様に、これら抽出された貯蓄玉数や、来店ポイント、来店回数、並びに収支を含む遊技履歴が表示された確認ページが、当該遊技場の会員ＩＤや暗証番号等を会員遊技者が入力することなしに、会員遊技者のノートパソコン１５或いは携帯電話１６に配信される。
【００５９】
このように、本実施例２によれば、遊技場識別情報記憶手段である登録遊技場特定テーブルを備えることで、ログインページに受付けた会員ＩＤから特定される当該会員遊技者の属性情報である電子メールアドレスと同一の電子メールアドレスが記憶されている遊技場、具体的には、当該会員遊技者が会員となっている遊技場の特定を、遊技場別会員情報データベースの記憶データの全てを検索することなく、簡便に実施でき、これら遊技場等の特定に要する処理負荷を低減することができる。
【００６０】
また、本実施例２によれば、遊技場内管理装置である会員管理コンピュータ１２０にて入力された会員属性情報と会員識別情報である会員ＩＤと遊技場識別情報である遊技場ＩＤとを含む会員登録情報が送信されてくることに基づいて、当該会員登録情報に含まれる会員属性情報である電子メールアドレスと同一の会員属性情報である電子メールアドレスが記憶されているときに、該会員属性情報とともに会員管理コンピュータ１２０における前記会員登録情報送信処理にてから送信された遊技場ＩＤが、自動的に遊技場識別情報記憶手段となる登録遊技場特定テーブルに記憶されるようになるため、これら各遊技場において会員登録した会員遊技者の情報を、確実かつ迅速に登録遊技場特定テーブルに反映させることができる。
【実施例３】
【００６１】
次に、本発明の請求項５に対応する本実施例３の遊技用システムについて説明すると、その構成は前記実施例１の遊技用システムと同一とされているが、本実施例３の遊技用システムの特徴点は、前記実施例１の遊技用システムにおいては、ログインページにて受け付けた会員ＩＤの会員遊技者が、「他の遊技場」を選択入力した場合において、当該会員遊技者の会員属性情報である電子メールアドレスを特定し、該特定した電子メールアドレスと同一の電子メールアドレスが記憶されている遊技場並びに当該遊技場における会員ＩＤとを特定する他遊技場会員識別情報特定処理を実施するようにしているが、これら他遊技場会員識別情報特定処理において前述した同一の電子メールアドレスが記録されている遊技場並びに当該遊技場における会員ＩＤの特定に要する処理負荷が、遊技場の数や会員の数が多くなった場合において大きくなり、特定に要する時間が大きくなってしまう場合が考えられることから、本実施例３では、これらの同一の電子メールアドレスが記録されている遊技場並びに当該遊技場における会員ＩＤの特定に要する処理負荷を低減できるようにしている点が大きな特徴であり、その他の構成は、前記実施例１と同一であることから説明を省略し、これら同一の電子メールアドレスが記録されている遊技場並びに当該遊技場における会員ＩＤの特定に関する流れについて以下に説明する。
【００６２】
まず、本実施例３の管理サーバ１４０の記憶装置１４５には、前記実施例１において記憶されている遊技場別会員情報データベースと、遊技場別会員遊技情報テーブル、遊技場情報テーブルの他に、図１７に示す会員識別情報記憶手段となる会員ＩＤテーブルが記憶されている。
【００６３】
この本実施例３の会員ＩＤテーブルには、各会員遊技者の会員属性情報である電子メールアドレスに対応付けて、当該会員遊技者が会員となっている遊技場の遊技場ＩＤに対応する項目には、当該遊技場における当該会員遊技者の会員ＩＤが記憶され、当該会員遊技者が会員ではない遊技場の遊技場ＩＤに対応する項目には「−」が登録されることで、当該電子メールアドレスに対応する会員遊技者がどの遊技場において会員となっているか、並びに会員となっている各遊技場における会員ＩＤとを、同一の電子メールアドレスの登録に基づく当該会員遊技者が会員となっている全ての遊技場並びにその遊技場における当該会員遊技者の会員ＩＤの特定を、遊技場別会員情報データベースの記憶データ全てを検索することなく、簡便に実施できるようになっている。
【００６４】
この会員ＩＤテーブルの記憶データは、図１８に示すように、会員管理コンピュータ１２０における前述の会員登録情報送信処理において送信される会員登録情報の受信に基づいて、管理サーバ１４０のＣＰＵ１４２が当該受信した会員登録情報に含まれる遊技場ＩＤから特定される遊技場の記憶データに、当該受信した会員登録情報に含まれる会員ＩＤと会員属性情報とを記憶（登録）する会員関連情報記憶処理を実施した後に、当該新たに記憶（登録）した電子メールアドレスと同一の電子メールアドレスが会員ＩＤテーブルの電子メールアドレスとして既に記憶されているか否かを判定し、記憶されている場合には、当該電子メールアドレスに対応する各遊技場の項目の内、受信した会員登録情報に含まれる遊技場ＩＤに対応する項目に、受信した会員登録情報に含まれる会員ＩＤを更新記憶することで、当該会員遊技者が会員ＩＤが記憶されている遊技場の会員であるとともに、当該遊技場における当該会員遊技者の会員ＩＤを容易に特定できるようになっている。尚、新たに記憶（登録）した電子メールアドレスと同一の電子メールアドレスが登録遊技場特定テーブルの電子メールアドレスとして既に記憶されていない場合には、当該電子メールアドレスを会員ＩＤテーブルの電子メールアドレスとして記憶するとともに、該電子メールアドレスに対応する各遊技場の項目の内、受信した会員登録情報に含まれる遊技場ＩＤに対応する項目に受信した会員登録情報に含まれる会員ＩＤを更新記憶する。
【００６５】
尚、本実施例においては、会員登録情報が各遊技場に設置された会員管理コンピュータ１２０から送信されることから、前述のように、当該会員登録情報を受信する毎に会員ＩＤテーブルへの更新記憶を実施するようにしているが、本発明はこれに限定されるものではなく、これら遊技用システムの運用開始時期等において、前記遊技場別会員情報データベースへの多くの会員属性情報の登録を管理サーバ１４０側等で実施した場合においては、当該遊技場別会員情報データベースへの記憶（登録）を実施した後、該遊技場別会員情報データベースに同一の会員属性情報となる電子メールアドレスに対応付けて記憶されている遊技場ＩＤと会員ＩＤとを全て抽出する処理を実施し、当該抽出に用いた会員属性情報となる電子メールアドレスに対応付けて、当該抽出した会員ＩＤを、該会員ＩＤとともに抽出された遊技場ＩＤの項目に対応付けて会員ＩＤテーブルに記憶するようにしても良いし、また、本実施例３のように、会員登録情報の受信に基づいて個々に会員ＩＤテーブルへの更新記憶を実施するのではなく、所定期間、例えば１日の所定時刻等において、前述の同一の会員属性情報となる電子メールアドレスに対応付けて記憶されている遊技場ＩＤと会員ＩＤの抽出処理を実施して会員ＩＤテーブルを更新するようにしても良い。
【００６６】
この本実施例３の会員ＩＤテーブルは、前述のように、会員遊技者が確認ページにおいて「他の遊技場」を選択した場合において、当該会員遊技者が会員となっている遊技場の特定、並びにその遊技場における会員ＩＤの特定において使用されるようになっており、その流れについて、図１９を用いて説明すると、本実施例の管理サーバ１４０のＣＰＵ１４２は、サイトサーバ１４から送信される他遊技場選択受付情報の受信に基づいて、前記会員ＩＤテーブルにおいて、ログインページにて受付けた会員ＩＤと遊技場情報テーブルに記憶されている対象会員ＩＤの情報とから特定される遊技場の遊技場ＩＤの項目に、当該受付けた会員ＩＤと同一の会員ＩＤに対応付けて記憶されている電子メールアドレスの項目を特定し、該特定した電子メールアドレスの項目において、会員ＩＤの登録（記憶）が存在する遊技場ＩＤと会員ＩＤとを全て抽出して一時記憶するとともに、当該会員遊技者が会員となっている遊技場を全て特定する。
【００６７】
そして、該特定した遊技場の情報（遊技場情報）を、前記実施例１の場合と同様にサイトサーバ１４に送信することで、当該特定された各遊技場を選択可能とされた遊技場選択ページがサイトサーバ１４から会員遊技者の情報端末であるノートパソコン１５や携帯電話１６に配信される。
【００６８】
この遊技場選択ページにおいて会員遊技者は、会員遊技関連情報を確認したい遊技場に対応するチェックボックスをチェックすることで選択した後、当該ページの下方位置に設けられている「表示」の選択入力部を選択することで、サイトサーバ１４から管理サーバ１４０に対して、該選択された遊技場を特定可能な情報（遊技場名であっても良いし、遊技場ＩＤでも良いし、表示順序の情報等でも良い）である選択遊技場情報が送信され、管理サーバ１４０において、前記遊技場別会員情報データベースに、当該選択遊技場情報により特定される遊技場の記憶データとして記憶されているデータの内、前記にて会員ＩＤテーブルより抽出した会員ＩＤの内、当該遊技場の遊技場ＩＤとともに抽出した会員ＩＤを特定し、当該特定した会員ＩＤに対応付けて記憶されている来店ポイントと来店回数とを抽出するとともに、該選択遊技場情報により特定される遊技場の遊技場ＩＤと、前記にて抽出した会員遊技者の当該遊技場における会員ＩＤとに対応付けて前記遊技場別会員遊技情報テーブルに記憶されている貯蓄玉数と遊技履歴データとを抽出する抽出処理を実施するとともに、該抽出処理にて抽出した各データを、サイトサーバ１４に送信することで、実施例１の場合と同様に、これら抽出された貯蓄玉数や、来店ポイント、来店回数、並びに収支を含む遊技履歴が表示された確認ページが、当該遊技場の会員ＩＤや暗証番号等を会員遊技者が入力することなしに、会員遊技者のノートパソコン１５或いは携帯電話１６に配信される。
【００６９】
以上、前記各実施例によれば、会員遊技者は、自身が会員となっている遊技場のいずれか１つの遊技場の会員識別情報である会員ＩＤを入力することで、当該会員遊技者が会員となっている当該会員ＩＤから特定される遊技場の遊技場ＩＤと当該会員ＩＤとに対応付けて前記遊技場別会員遊技関連情報記憶手段である遊技場別会員遊技情報テーブルに記憶されている貯蓄玉数や遊技機履歴等が抽出されて、会員遊技者の情報端末であるノートパソコン１５や携帯電話１６に配信されるとともに、当該入力した会員ＩＤの遊技場以外の当該会員遊技者が会員となっている遊技場が、他遊技場会員識別情報特定手段となる他遊技場会員識別情報特定処理にて特定され、該特定された遊技場が選択可能とされた遊技場選択ページが配信されて遊技場の指定を受付けることで、該指定された遊技場の遊技場ＩＤと当該遊技場における当該会員遊技者の会員ＩＤとに対応付けて前記遊技場別会員遊技関連情報記憶手段である遊技場別会員遊技情報テーブルに記憶されている会員属性情報である貯蓄玉数や遊技機履歴等が抽出されて会員遊技者の情報端末であるノートパソコン１５や携帯電話１６に配信されるようになるため、会員遊技者は、複数の遊技場における会員遊技関連情報を確認する場合に、当該確認したい遊技場における会員識別情報である会員ＩＤ等を一々入力する必要がなく、これら複数の遊技場における会員遊技関連情報を確認する場合における会員遊技者の不便性を解消することができる。
【００７０】
以上、前記各実施例によれば、会員登録情報が各遊技場に設置された遊技場内管理装置である会員管理コンピュータ１２０から管理サーバ１４０に送信されるようになるため、これら新規に会員登録する新規会員遊技者に付与された会員ＩＤや会員属性情報を、管理サーバ１４０において入力する手間を解消することができる。
【００７１】
以上、前記実施例３によれば、遊技場内管理装置である会員管理コンピュータ１２０にて入力された会員属性情報と会員識別情報である会員ＩＤと遊技場識別情報である遊技場ＩＤとを含む会員登録情報が送信されてくることに基づいて、当該会員登録情報に含まれる会員属性情報である電子メールアドレスと同一の会員属性情報である電子メールアドレスが記憶されているときに、該会員属性情報である電子メールアドレスとともに会員管理コンピュータ１２０における前記会員登録情報送信処理にて送信された遊技場ＩＤと会員ＩＤとが自動的に会員識別情報記憶手段となる会員ＩＤテーブルに記憶されるようになるため、これら各遊技場において会員登録した会員遊技者の情報を、確実かつ迅速に会員識別情報記憶手段である会員ＩＤテーブルに反映させることができる。
【００７２】
以上、前記各実施例によれば、会員属性情報として貯蓄玉数や収支を含む遊技機履歴が会員遊技者の情報端末であるノートパソコン１５や携帯電話１６に配信されるようになるため、会員遊技者は、会員となっている各遊技場での収支や貯蓄玉数を容易に把握でき、遊技場別の勝率や今後の遊技戦略の検討に、当該情報を資することができる。
【００７３】
以上、本発明の実施例を図面により説明してきたが、具体的な構成はこれら実施例に限られるものではなく、本発明の要旨を逸脱しない範囲における変更や追加があっても本発明に含まれる。
【００７４】
例えば、上記各実施例では、抽出した会員属性情報である貯蓄玉数や収支を含む遊技機履歴等を、アクセスしてきた会員遊技者の情報端末であるノートパソコン１５や携帯電話１６に配信するようにしているが、本発明はこれに限定されるものではなく、これらの会員属性情報である貯蓄玉数や収支を含む遊技機履歴等を、ログインページにて受付けた会員ＩＤから特定される当該会員遊技者の電子メールアドレスや、該会員遊技者から電子メールを受付けて、会員遊技者が指定した配信先となるこれらの電子メールアドレスに前記貯蓄玉数や収支を含む遊技機履歴等の情報を含む電子メールを送信するようにしても良い。
【００７５】
また、前記各実施例では、ログインページにおいて受付けた会員ＩＤから特定される遊技場における当該会員遊技者の会員遊技関連情報が表示された確認ページを、はじめに配信するようにしているが、本発明はこれに限定されるものではなく、これら確認ページを配信する前に、当該受付けた会員ＩＤから特定される遊技場をも選択可能とされた遊技場選択ページを配信して、遊技場の指定を受付けるようにしても良い。
【００７６】
また、前記各実施例では、遊技場識別情報として遊技場ＩＤを主に用いるようにしているが、本発明はこれに限定されるものではなく、これら遊技場識別情報としては、遊技場名、或いは遊技場Ａ、遊技場Ｂ、遊技場Ｃ…等のように、個々の遊技場を識別可能であるものであれば良く、個々のデータベースやテーブルや会員遊技者からの遊技場の受付け等において、同一の遊技場識別情報ではなく、形態の異なる遊技場識別情報を使用しても良い。
【００７７】
また、前記各実施例では、管理サーバ１４０とサイトサーバ１４とを、セキュリティ性の向上の観点から個別に設けているが、本発明はこれに限定されるものではなく、これら管理サーバ１４０とサイトサーバ１４とを１つのサーバにて構成しても良い。
【００７８】
また、前記各実施例では、遊技場外管理装置となる管理サーバ１４０とサイトサーバ１４とをカード管理会社に設置した例を示したが、本発明はこれに限定されるものではなく、これら遊技場外管理装置をその他の機関に設置するようにしても良い。
【００７９】
また、前記各実施例では、遊技場情報テーブルに、各遊技場において使用されている会員ＩＤの範囲が対象会員ＩＤの項目に記憶されていることで、ログインページにおいて会員ＩＤのみを受付けることで、その会員ＩＤがどの遊技場のものであるかを特定できるようにしているが、本発明はこれに限定されるものではなく、これら会員ＩＤ中、例えばその先頭部分に遊技場ＩＤを含むような会員ＩＤとして、当該会員ＩＤから遊技場を特定できるようにしても良いし、或いは、ログインページにおいて会員ＩＤとともに当該会員ＩＤが記録された会員カードの発行を受けた遊技場の指定を受付けるようにしても良い。
【００８０】
また、前記各実施例では、会員登録を各遊技場に設置された会員管理コンピュータ１２０において実施するようにしているが、本発明はこれに限定されるものではなく、これらの各遊技場の会員登録を、サイトサーバ１４にて会員遊技者から受付けて実施したり、各遊技場からの会員ＩＤや会員属性情報が記載された登録用紙の送付を受けて、管理サーバ１４０においてこれらの会員登録の処理を実施するようにしても良く、これら会員管理コンピュータ１２０以外において会員登録を実施した場合においては、会員カードを郵送等により会員遊技者に発行するようにしても良い。
【００８１】
また、前記実施例では、ログインページにおいて暗証番号による照合を実施しているが、本発明はこれに限定されるものではなく、これらの照合を実施しないようにしても良い。
【００８２】
また、前記実施例では、ログインページにて受付けた会員ＩＤの会員遊技者が、その他の遊技場において会員登録している遊技場を特定するための会員属性情報として、当該会員遊技者の電子メールアドレスを使用するようにしているが、本発明はこれに限定されるものではなく、これら会員属性情報を、氏名と性別と年齢としても良いし、氏名と年齢と郵便番号としても良く、これら他の遊技場を特定するために用いる会員属性情報は適宜に選択すれば良い。
【００８３】
前記実施例における各要素は、本発明に対して以下のように対応している。
本発明の請求項１は、遊技場内に設置され、当該遊技場において会員登録した会員遊技者の該遊技場での遊技に関連して発生した会員遊技関連情報を、各会員遊技者を個々に識別可能な会員識別情報（会員ＩＤ）に対応付けて記憶するための会員遊技関連情報記憶手段（会員別遊技履歴テーブル）と、該会員遊技関連情報記憶手段に記憶されている会員遊技関連情報を、当該会員遊技関連情報が対応付けられている会員識別情報並びに当該遊技場を個々に識別可能な遊技場識別情報（遊技場ＩＤ）とともに送信する会員遊技関連情報送信手段（ＣＰＵ１２２；会員遊技関連情報送信処理、通信部１２９）と、を備える遊技場内管理装置（会員管理コンピュータ１２０）と、複数の各遊技場に設置された遊技場内管理装置とデータ通信可能に接続され、前記会員遊技関連情報送信手段から送信される遊技場識別情報と会員識別情報と会員遊技関連情報とを対応付けて記憶するための遊技場別会員遊技関連情報記憶手段（遊技場別会員遊技情報テーブル）と、各会員遊技者の会員属性情報を、当該会員遊技者の前記会員識別情報並びに当該会員識別情報が対応する遊技場の遊技場識別情報とに対応付けて各遊技場毎に記憶する会員属性情報記憶手段（遊技場別会員情報データベース）と、会員遊技者が操作可能な情報端末（ノートパソコン１５、携帯電話１６）から当該会員遊技者が会員となっているいずれか１つの会員識別情報を少なくとも受付ける会員識別情報受付け手段（サイトサーバ１４、ＣＰＵ１８２；会員識別情報受付け処理）と、前記会員識別情報受付け手段にて受付けた会員識別情報に対応付けて前記会員属性情報記憶手段に記憶されている会員属性情報と同一の会員属性情報に対応付けて該会員属性情報記憶手段に記憶されている会員識別情報と遊技場識別情報とから、前記会員識別情報受付け手段にて受付けた会員識別情報が対応する遊技場以外の遊技場における当該会員遊技者の会員識別情報とその遊技場の遊技場識別情報とを特定する他遊技場会員識別情報特定手段（ＣＰＵ１４２；他遊技場会員識別情報特定処理）と、前記会員識別情報受付け手段にて受付けた会員識別情報に対応付けて前記遊技場別会員遊技関連情報記憶手段に記憶されている会員遊技関連情報、並びに前記他遊技場会員識別情報特定手段にて特定された遊技場識別情報並びに会員識別情報に対応付けて前記遊技場別会員遊技関連情報記憶手段に記憶されている会員遊技関連情報を抽出する抽出手段（ＣＰＵ１４２；抽出処理）と、該抽出手段にて抽出された会員遊技関連情報を前記情報端末或いは会員遊技者が指定した配信先に配信する会員遊技関連情報配信手段（ＣＰＵ１４２；会員遊技関連情報配信処理）と、を備える遊技場外管理装置（管理サーバ１４０、サイトサーバ１４）と、から成る。
【００８４】
本発明の請求項２は、前記遊技場外管理装置（管理サーバ１４０）は、前記会員属性情報記憶手段（遊技場別会員情報データベース）に同一の会員属性情報に対応付けて記憶されている遊技場識別情報を抽出する遊技場抽出手段（ＣＰＵ１４２；遊技場抽出処理）を備え、前記会員属性情報記憶手段は、該遊技場抽出手段にて抽出された遊技場識別情報と会員属性情報とを対応付けて記憶するための遊技場識別情報記憶手段（登録遊技場特定テーブル）を含み、前記他遊技場会員識別情報特定手段（ＣＰＵ１４２；他遊技場会員識別情報特定処理）は、前記会員識別情報受付け手段（サイトサーバ１４、ＣＰＵ１８２；会員識別情報受付け処理）にて受付けた遊技場識別情報と会員識別情報とに対応付けて前記会員属性情報記憶手段に記憶されている会員属性情報を特定し、該特定した会員属性情報に対応付けて前記遊技場識別情報記憶手段に記憶されている遊技場識別情報と、当該遊技場識別情報と前記特定した会員属性情報とに対応付けて前記会員属性情報記憶手段に記憶されている会員識別情報とから、前記会員識別情報受付け手段にて受付けた会員識別情報が対応する遊技場以外の遊技場における当該会員遊技者の会員識別情報とその遊技場の遊技場識別情報とを特定する。
【００８５】
本発明の請求項３は、前記遊技場内管理装置（会員管理コンピュータ１２０）は、各会員遊技者の会員属性情報を入力するための会員属性情報入力手段（入力装置１２６、会員登録画面）と、該会員属性情報入力手段から入力された会員属性情報を、当該会員遊技者の会員識別情報（会員ＩＤ）並びに当該遊技場の遊技場識別情報（遊技場ＩＤ）とともに前記遊技場外管理装置に送信する会員属性情報送信手段（ＣＰＵ１２２；会員登録情報送信処理）とを備え、前記遊技場外管理装置（管理サーバ１４０）は、該会員属性情報送信手段から送信される遊技場識別情報から前記会員属性情報記憶手段（遊技場別会員情報データベース）における記憶対象とする遊技場を特定し、該特定した遊技場の記憶情報として該遊技場識別情報とともに前記会員属性情報送信手段から送信された会員識別情報と会員属性情報とを対応付けて該会員属性情報記憶手段に記憶する。
【００８６】
本発明の請求項４は、前記遊技場外管理装置（管理サーバ１４０）は、前記遊技場識別情報記憶手段（登録遊技場特定テーブル）に前記会員属性情報送信手段（ＣＰＵ１２２；会員登録情報送信処理）から送信される会員属性情報と同一の会員属性情報が記憶されているときには、当該会員属性情報に対応付けて該会員属性情報とともに前記会員属性情報送信手段から送信された遊技場識別情報（遊技場ＩＤ）を該遊技場識別情報記憶手段に記憶する。
【００８７】
本発明の請求項５は、遊技場内に設置され、当該遊技場において会員登録した会員遊技者の該遊技場での遊技に関連して発生した会員遊技関連情報を、各会員遊技者を個々に識別可能な会員識別情報（会員ＩＤ）に対応付けて記憶するための会員遊技関連情報記憶手段（会員別遊技履歴テーブル）と、該会員遊技関連情報記憶手段に記憶されている会員遊技関連情報を、当該会員遊技関連情報が対応付けられている会員識別情報並びに当該遊技場を個々に識別可能な遊技場識別情報（遊技場ＩＤ）とともに送信する会員遊技関連情報送信手段（ＣＰＵ１２２；会員遊技関連情報送信処理、通信部１２９）と、を備える遊技場内管理装置（会員管理コンピュータ１２０）と、複数の各遊技場に設置された遊技場内管理装置とデータ通信可能に接続され、前記会員遊技関連情報送信手段から送信される遊技場識別情報と会員識別情報と会員遊技関連情報とを対応付けて記憶するための遊技場別会員遊技関連情報記憶手段（遊技場別会員遊技情報テーブル）と、各会員遊技者の会員属性情報に対応付けて、当該会員遊技者に対して個々の遊技場において付与された前記会員識別情報と当該会員識別情報が対応する遊技場の遊技場識別情報とを記憶するための会員識別情報記憶手段（会員ＩＤテーブル）と、会員遊技者が操作可能な情報端末（ノートパソコン１５、携帯電話１６）から当該会員遊技者が会員となっているいずれか１つの会員識別情報を少なくとも受付ける会員識別情報受付け手段（サイトサーバ１４、ＣＰＵ１８２；会員識別情報受付け処理）と、前記会員識別情報受付け手段にて受付けた会員識別情報に対応付けて前記会員識別情報記憶手段に記憶されている当該会員識別情報が対応する遊技場識別情報から、前記会員識別情報受付け手段にて受付けた会員識別情報が対応する遊技場以外の遊技場における当該会員遊技者の会員識別情報とその遊技場の遊技場識別情報とを特定する他遊技場会員識別情報特定手段（ＣＰＵ１４２；他遊技場会員識別情報特定処理）と、前記会員識別情報受付け手段にて受付けた会員識別情報に対応付けて前記遊技場別会員遊技関連情報記憶手段に記憶されている会員遊技関連情報、並びに前記他遊技場会員識別情報特定手段にて特定された遊技場識別情報並びに会員識別情報に対応付けて前記遊技場別会員遊技関連情報記憶手段に記憶されている会員遊技関連情報を抽出する抽出手段（ＣＰＵ１４２；抽出処理）と、該抽出手段にて抽出された会員遊技関連情報を前記情報端末或いは会員遊技者が指定した配信先に配信する会員遊技関連情報配信手段（ＣＰＵ１４２；会員遊技関連情報配信処理）と、を備える遊技場外管理装置（管理サーバ１４０、サイトサーバ１４）と、から成る。
【００８８】
本発明の請求項６は、前記遊技場内管理装置（会員管理コンピュータ１２０）は、各会員遊技者の会員属性情報を入力するための会員属性情報入力手段（入力装置１２６、会員登録画面）と、該会員属性情報入力手段から入力された会員属性情報を、当該会員遊技者の会員識別情報（会員ＩＤ）並びに当該遊技場の遊技場識別情報（遊技場ＩＤ）とともに前記遊技場外管理装置に送信する会員属性情報送信手段（ＣＰＵ１２２；会員登録情報送信処理）とを備え、前記遊技場外管理装置（管理サーバ１４０）は、前記会員識別情報記憶手段（会員ＩＤテーブル）に該会員属性情報送信手段から送信される会員属性情報と同一の会員属性情報が記憶されているときには、当該会員属性情報に対応付けて該会員属性情報とともに前記会員属性情報送信手段から送信された遊技場識別情報と会員識別情報とを該会員識別情報記憶手段に記憶する。
【００８９】
本発明の請求項７は、前記会員遊技関連情報は、会員遊技者の各遊技場における収支情報（収支金額）を含む。
【００９０】
本発明の請求項８は、前記会員遊技関連情報は、会員遊技者の各遊技場おける遊技にて獲得した獲得価値（獲得玉数）のうち遊技に再使用可能とされた貯蓄価値（貯蓄玉数）の大きさの貯蓄価値情報を含む。
【図面の簡単な説明】
【００９１】
【図１】本発明の実施例１における遊技用システムの構成を示す図である。
【図２】本発明の実施例１に用いた会員管理コンピュータの構成を示す図である。
【図３】（ａ）は、本発明の実施例１に用いた会員情報テーブルを示す図であり、（ｂ）は、本発明の実施例１に用いた会員別遊技履歴テーブルを示す図である。
【図４】本発明の実施例１に用いた管理サーバとサイトサーバの構成を示す図である。
【図５】（ａ）は、本発明の実施例１に用いた遊技場別会員情報データベースを示す図であり、（ｂ）は、本発明の実施例１に用いた遊技場別会員遊技情報テーブルを示す図である。
【図６】本発明の実施例１に用いた遊技場情報テーブルを示す図である。
【図７】本発明の実施例１に用いた会員管理コンピュータにおける会員登録画面を示す図である。
【図８】本発明の実施例１の遊技用システムを構成する会員管理コンピュータと管理サーバとの処理状況を示す図である。
【図９】本発明の実施例１の遊技用システムを構成するサイトサーバと管理サーバとの処理状況を示す図である。
【図１０】本発明の実施例１の遊技用システムにおいて、会員遊技者の情報端末に表示されるログインページを示す図である。
【図１１】本発明の実施例１の遊技用システムにおいて、会員遊技者の情報端末に表示される確認ページを示す図である。
【図１２】本発明の実施例１の遊技用システムにおいて、会員遊技者の情報端末に表示される遊技場選択ページを示す図である。
【図１３】本発明の実施例１の遊技用システムにおいて、会員遊技者の情報端末に表示される確認ページを示す図である。
【図１４】本発明の実施例２に用いた登録遊技場特定テーブルを示す図である。
【図１５】本発明の実施例２の遊技用システムを構成する会員管理コンピュータと管理サーバとの処理状況を示す図である。
【図１６】本発明の実施例２の遊技用システムを構成するサイトサーバと管理サーバとの処理状況を示す図である。
【図１７】本発明の実施例３に用いた会員ＩＤテーブルを示す図である。
【図１８】本発明の実施例３の遊技用システムを構成する会員管理コンピュータと管理サーバとの処理状況を示す図である。
【図１９】本発明の実施例３の遊技用システムを構成するサイトサーバと管理サーバとの処理状況を示す図である。
【符号の説明】
【００９２】
２        パチンコ機
３        カードユニット
４        中継端末
５        ルータ
１４      サイトサーバ
１５      ノートパソコン
１６      携帯電話
４０      玉計数器
１００    システムコントローラ
１２０    会員管理コンピュータ
１２２    ＣＰＵ
１２５    記憶装置
１２６    入力装置
１２９    通信部
１４０    管理サーバ
１４２    ＣＰＵ
１４５    記憶装置
１４８    ＤＳＵ
１４９    通信部
１８２    ＣＰＵ
１８８    第１通信部
１８９    第２通信部
【図１】
2005168628.tif 000003
【図２】
2005168628.tif 000004
【図３】
2005168628.tif 000005
【図４】
2005168628.tif 000006
【図５】
2005168628.tif 000007
【図６】
2005168628.tif 000008
【図７】
2005168628.tif 000009
【図８】
2005168628.tif 000010
【図９】
2005168628.tif 000011
【図１０】
2005168628.tif 000012
【図１１】
2005168628.tif 000013
【図１２】
2005168628.tif 000014
【図１３】
2005168628.tif 000015
【図１４】
2005168628.tif 000016
【図１５】
2005168628.tif 000017
【図１６】
2005168628.tif 000018
【図１７】
2005168628.tif 000019
【図１８】
2005168628.tif 000020
【図１９】
2005168628.tif 000021